(57)【要約】【課題】屋外への設置により適した分煙装置を提供する。【解決手段】上下が開放された筒状に形成され、筒状内を喫煙区域とする喫煙空間を画成する側壁部１０と、内部に清浄空間が画成されて喫煙空間の上端面を覆うように設けられる清浄部３０であって、喫煙空間内の空気を清浄空間に吸引する吸気口と、吸気口から吸引された空気を清浄するフィルタ部と、フィルタ部により清浄された空気を清浄空間外へ排出する排気口とを有する清浄部３０と、側壁部を少なくとも３つ以上の支持脚２１ａ〜２１ｄにより設置面より上方に支持する支持部２０とを備える。【選択図】図１
2019052791.tif 000002
【特許請求の範囲】
【請求項１】
屋外に設置可能であり、禁煙区域と喫煙区域とを分割する分煙装置であって、
上下が開放された筒状に形成され、該筒状内を前記喫煙区域とする喫煙空間を画成する側壁部と、
内部に清浄空間が画成されて前記喫煙空間の上端面を覆うように設けられる清浄部であって、前記喫煙空間内の空気を前記清浄空間に吸引する吸気口と、該吸気口から吸引された空気を清浄するフィルタ部と、該フィルタ部により清浄された空気を前記清浄空間外へ排出する排気口とを有する前記清浄部と、
前記側壁部を少なくとも３つ以上の支持脚により設置面より上方に支持する支持部と
を備える分煙装置。
【請求項２】
前記排気口は、前記清浄空間から前記喫煙空間へ空気を排出するように設けられ、
前記清浄部は、前記清浄空間から吸引した空気を前記排気口から前記喫煙空間へ送風する送風部を更に有することを特徴とする請求項１に記載の分煙装置。
【請求項３】
前記側壁部は、前記排気口の下方に位置するように前記側壁部の内壁に設けられ、前記排気口から排出された空気を前記吸気口側へ案内する第１案内部と、前記吸気口の下方に位置するように前記側壁部の内壁に設けられ、前記第１案内部により案内された空気を前記吸気口へ案内する第２案内部とを有することを特徴とする請求項２に記載の分煙装置。
【請求項４】
前記第１案内部は、前記吸気口からの空気の吸引方向に直交する方向に伸びる平面として形成された直交部と、一端が前記側壁部の内壁に接続され、他端が直交部に接続されるとともに前記一端より下方に位置するように傾斜された平面として形成された傾斜部とを有することを特徴とする請求項３に記載の分煙装置。
【請求項５】
前記第２案内部は、前記排気口からの空気の排気方向に直交する方向に伸びる平面として形成され、該平面は、前記直交部より上方に位置することを特徴とする請求項４に記載の分煙装置。
【請求項６】
前記排気口は、前記清浄空間から前記分煙装置外へ空気を排出するように設けられ、ダクトが接続可能に形成されていることを特徴とする請求項１に記載の分煙装置。
【発明の詳細な説明】
【技術分野】
【０００１】
本発明の実施形態は、公共、私設の場所や施設等の室内空間を禁煙区域と喫煙区域とに分割する分煙対策のための装置に関する。
【背景技術】
【０００２】
従来、公共、私設の場所や施設等において室内空間を禁煙区域と喫煙区域とに分割するための分煙対策が推進されている。
【０００３】
例えば、特許文献１では、内部に喫煙空間を画成すると共に喫煙空間の側方を包囲する側壁と、喫煙空間の上部を画成する天井と、天井または側壁上部に設けられた煙排気口と、を備え、喫煙空間の収容定員は一名となっており、側壁が室内床面から離隔した状態で側壁の一部が室内壁に固定されて装置全体が室内壁に支持されることを特徴とする壁付けパーソナル分煙装置を提案している。
【０００４】
また、特許文献２では、喫煙区域としての喫煙空間の側方を包囲する側壁部と、内部に清浄空間を画成するように箱状に形成され、吸気口及び排気口が底面に設けられ、側壁部の上方に配置される清浄部と、清浄空間から吸引した空気を排気口から下方の喫煙空間へ送風する送風部と、吸気口から上方の清浄空間へ吸引される空気を清浄するフィルタ部と、排気口から排出された空気を吸気口側へ案内する第１案内部と、第１案内部により案内された空気を吸気口へ案内する第２案内部とを備える分煙装置を提案している。
【先行技術文献】
【特許文献】
【０００５】
【特許文献１】特開２０１３−２４５４４０号公報
【特許文献２】特開２０１７−９６５６２号公報
【発明の概要】
【発明が解決しようとする課題】
【０００６】
近年、室内空間だけでなく、例えば、店舗外における顧客用の入口の近傍やバックヤードなどの屋外における顧客や店員の喫煙に対して、副流煙により店舗の近隣住民がたばこに起因する有害物質に晒される受動喫煙に関する苦情が生じることがある。そのため、屋外に設置する分煙装置が求められている。
【０００７】
しかしながら、特許文献１に記載のパーソナル分煙装置によれば、側壁の一部を室内壁に固定するように構成されているため、屋外に設置するようにした場合、建物の前面の大部分がガラス面である店舗においては、設置可能な場所が限定される。また、特許文献２に記載の分煙装置によれば、喫煙空間を画成する側壁が前面下部を除いて喫煙者の全身を囲繞するようになっているため、屋外に設置するようにした場合、風の影響を強く受けてしまう。このように、従来の分煙装置には、屋外への設置に適していない、という問題がある。
【０００８】
本発明は、上述した問題点を解決するためになされたものであり、屋外への設置により適した分煙装置を提供することを目的とする。
【課題を解決するための手段】
【０００９】
上記課題を解決するために、本発明の一態様は、  屋外に設置可能であり、禁煙区域と喫煙区域とを分割する分煙装置であって、上下が開放された筒状に形成され、該筒状内を前記喫煙区域とする喫煙空間を画成する側壁部と、内部に清浄空間が画成されて前記喫煙空間の上端面を覆うように設けられる清浄部であって、前記喫煙空間内の空気を前記清浄空間に吸引する吸気口と、該吸気口から吸引された空気を清浄するフィルタ部と、該フィルタ部により清浄された空気を前記清浄空間外へ排出する排気口とを有する前記清浄部と、前記側壁部を少なくとも３つ以上の支持脚により設置面より上方に支持する支持部とを備える。
【発明の効果】
【００１０】
本発明によれば、屋外への設置により適した分煙装置を実現できる。
【図面の簡単な説明】
【００１１】
【図１】第１の実施形態に係る分煙装置の構成を示す概略斜視図である。
【図２】第１の実施形態に係る分煙装置の構成を示す正面図である。
【図３】第１の実施形態における側壁部の構成を示す平面図である。
【図４】第１の実施形態における側壁部及び清浄部の構成を示す縦断面図である。
【図５】第１の実施形態における清浄部の構成を示す横断面図である。
【図６】送風部の構成を示す概略斜視図である。
【図７】フィルタ部の構成を示す概略斜視図である。
【図８】コンビニエンスストアの正面に設置された分煙装置を示す図である。
【図９】店舗の正面に設置された分煙装置を示す図である。
【図１０】店舗のバックヤードに設置された分煙装置を示す図である。
【図１１】併設された分煙装置を示す図である。
【図１２】第２の実施形態に係る分煙装置の構成を示す概略斜視図である。
【図１３】第２の実施形態における側壁部及び清浄部の構成を示す縦断面図である。
【図１４】第２の実施形態における清浄部の構成を示す横断面図である。
【発明を実施するための形態】
【００１２】
以下、本発明の実施形態について図面を参照しつつ説明する。
【００１３】
＜第１の実施形態＞
（分煙装置の構成）
まず、図１及び図５を参照して、第１の実施形態に係る分煙装置の構成について説明する。図１は、本実施形態に係る分煙装置の構成を示す概略斜視図である。図２は、本実施形態に係る分煙装置の構成を示す正面図である。図３は、本実施形態に係る側壁部の構成を示す平面図である。図４は、本実施形態における側壁部及び清浄部の構成を示す縦断面図である。図５は、本実施形態における清浄部の構成を示す横断面図である。なお、各図におけるｘ軸は分煙装置の左右方向を示し、ｙ軸は分煙装置の前後方向を示し、ｚ軸は上下方向を示す。
【００１４】
図１及び図２に示す分煙装置１は、禁煙区域と喫煙区域とを分割するべき屋外において、設置面に載置することにより設置されて、喫煙者の身体の上部のみを囲繞する喫煙区域としての喫煙空間を画成する。分煙装置１は、喫煙空間の側方を包囲する側壁部１０と、側壁部１０を支持する支持部２０と、側壁部１０の上方に設けられた清浄部３０と、を備える。
【００１５】
図３に示すように、側壁部１０は、左右方向に対向する２つの側壁パネル１２，１４と、これら２つの側壁パネル１２，１４の後方一端を接続する後方の側壁パネル１３とを有し、これら３つの側壁パネルは所定の長さに上下方向に延在するように形成され、その横断面がコの字形状となるように構成される。更に、側壁部１０は、後方の側壁パネル１３に対向する前方の側壁パネルとしてのドア１１及び遮蔽部１００を有し、側壁パネル１２，１３，１４，ドア１１及び遮蔽部１００によって、上面及び底面が開口された直方体箱状に構成されて、その内部に喫煙空間を画成する。なお、本実施形態において、側壁パネル１２，１３，１４は、それぞれ、アルミ複合板とする。また、本実施形態において、側壁部１０は、上下が開口した略直方体状に形成されているが、筒状に構成されていれば良い。
【００１６】
ドア１１は、枠体１１０、透明板１１１、蝶番１１２及び１１３、ドアハンドル１１４を有する。枠体１１０は、蝶番１１２及び１１３によってその幅方向一端が、側壁パネル１４の前方一端に接続された枠状の部材であり、幅方向他端側にドアハンドル１１４が設けられる。透明板１１１は、透過性を有する材質、本実施形態においてはポリカーボネートにより形成される板状の部材であり、枠体１１０内に嵌め込まれる。このドア１１によって、側壁部１０の前方が開放されて喫煙者が喫煙空間内に出入り可能となる。
【００１７】
図１及び図２に示すように、支持部２０は、上下方向に延在する４つの支持脚２１ａ〜２１ｄを有し、４つの支持脚２１ａ〜２１ｄそれぞれの下端にはアンカー２１１が設けられている。４つの支持脚２１ａ〜２１ｄは、それぞれ、その上端が側壁部１０の下端に接続される。なお、支持部２０は、少なくとも３つ以上の支持脚を有していれば良い。
【００１８】
直方体箱状に構成された側壁部１０に対して、支持脚２１ａは側壁パネル１４とドア１１とが成す角部に位置し、支持脚２１ｂはドア１１と側壁パネル１２とが成す角部に位置し、支持脚２１ｃは側壁パネル１２と側壁パネル１３とが成す角部に位置し、支持脚２１ｄは側壁パネル１３と側壁パネル１４とが成す角部に位置するようになっている。４つの支持脚２１ａ〜２１ｄにより側壁部１０を支持することにより、分煙装置１の下方において屋外に吹く風を通過させることができ、延いては分煙装置１に対する風の影響を低減させることができる。
【００１９】
４つのアンカー２１１は、それぞれ、４つの支持脚２１ａ〜２１ｄが延在する上下方向に直交する水平面を有する板状に形成されており、これらアンカー２１１と設置面とをボルト等により連結することによって、分煙装置１を屋外に固定的に設置することができる。このように分煙装置１を固定することによって、屋外における分煙装置１の設置位置の自由度を向上させることができる。
【００２０】
図４及び図５に示すように、清浄部３０は、直方体箱状に構成された内部に清浄空間を画成し、清浄空間内に送風部３１及びフィルタ部３２を収容する。清浄部３０の底面には、排気口３０ａ及び吸気口３０ｂが設けられる。清浄部３０は、その底面が側壁部１０の上面を構成するように側壁部１０の上方に配置され、したがって、分煙装置１において、清浄部２０の底面、側壁部１０によって下方に開口した喫煙空間が画成される。
【００２１】
喫煙空間は、排気口３０ａ及び吸気口３０ｂによって清浄空間と連通される。送風部３１は、清浄空間内の空気を吸引して排気口３０ａから喫煙空間へ下方に送風するものであり、本実施形態においてはクロスフローファンとして構成される。フィルタ部３２は、送風部３１により清浄空間が降圧されることにより吸気口３０ｂを介して喫煙空間から吸引される空気をろ過して清浄し、清浄された空気は排気口３０ａによって下方の清浄空間に排出される。排気口３０ａ及び吸気口３０ｂは、水平方向、具体的には分煙装置１の左右方向に互いに異なる位置に形成される。
【００２２】
図３及び図４に示すように、側壁部１０には、排気口３０ａから排出された空気を水平方向における吸気口３０ｂ側へ案内する第１案内部１４１と、第１案内部１４１により案内された空気を吸気口３０ｂへ案内する第２案内部１４２とが設けられる。
【００２３】
第１案内部１４１は、排気口３０ａの下方に位置するとともに、図３に示すように側壁部１０の前後方向全域に亘って設けられ、直交部１４１ａと傾斜部１４１ｂとを有する。直交部１４１ａは、排気口３０ａの排出方向に直交する方向、即ち水平方向に伸びる平面として形成される。傾斜部１４１ｂは、一端が側壁部１０の内壁、具体的には側壁パネル１４に接続され、他端が直交部１４１ａに接続され、水平方向に対して他端が下方に位置するように傾斜する平面として形成される。なお、第１案内部１４１は、直交部１４１ａの上面が遮蔽部１００の下端より上方となるように設けられる。これによって、ドア１１が操作されて側壁部１０の前方が開放された場合に、分煙装置１の外部へ流出する排気口３０ｂからの排気が低減される。
【００２４】
第２案内部１４２は、吸気口３０ｂの吸引方向に直交する方向、即ち水平方向に伸びる平面として形成され、一端が側壁部１０の内壁において第１案内部１４１と対向する位置、具体的には側壁パネル１２に接続される。なお、第２案内部１４２は、第１案内部１４１の直交部１４１ａより上方に位置するように、具体的には第２案内部１４２の上面が直交部１４１ａの上面より上方に位置するように設けられる。
【００２５】
第１案内部１４１及び第２案内部１４２によれば、清浄部３０から排出された空気を再度清浄部３０に吸引するように分煙装置１の上方で空気を循環させ、フィルタ部３２による清浄能力を向上させることができる。また、第１案内部１４１を第２案内部１４２の直交部１４２ａより上方とすることによって、吸気口３０ｂの空気の吸引力が向上し、延いては、第１案内部１４１により案内された空気の多くを吸気口３０ｂへ案内することができるとともに、排気口３０ａより排出された空気のうち、喫煙空間の下方へ向かう空気を低減することができる。
【００２６】
（送風部及びフィルタ部の構成）
次に、送風部及びフィルタ部の構成について説明する。図６は、送風部の構成を示す概略斜視図である。図７は、フィルタ部の構成を示す概略斜視図である。
【００２７】
図６に示すように、送風部３１は、クロスフローファンであり、長尺の柱体状に形成され、送風口３１１及び吸入口３１２が設けられたケーシング３１０と、ケーシング３１０に収納され、図示しないモータにより回転駆動されるランナ３１３とを備える。ランナ３１３は、回転駆動されることによって吸入口３１２からケーシング３１０外部の空気を吸入し、吸入した空気を喫煙空間に送風する。送風部３１は、送風口３１１が排気口３０ａに面するように、清浄部３０内においてその底面に載置され、この際、吸入口３１２は清浄空間内に向けられるようになっている。これによって、清浄空間の空気が排出されて清浄空間内が降圧される。
【００２８】
図７に示すように、フィルタ部３２は、上面が開口された直方体箱状に形成された収容部３２０と、収容部３２０に収容されたＨＥＰＡ（Ｈｉｇｈ  Ｅｆｆｉｃｉｅｎｃｙ  Ａｉｒ）フィルタ３２９とを備える。収容部３２０には、その底面の中央近傍領域において所定の開口率となるようにパンチング加工された開口部３２０ａが形成される。
【００２９】
また、収容部３２０の底面には、その一辺と平行する可動軸を有する蝶番の羽の一方が固定され、この蝶番の他方の羽は側壁部１０の内壁、具体的には側壁パネル１２に固定される。この構成によれば、収容部３２０は、吸気口３０ａの下方から清浄空間内に出し入れ可能となり、したがって、ＨＥＰＡフィルタ３２９が交換可能となる。なお、蝶番が固定された側の収容部３２０の壁部に対向する壁部３２０ｂは、他の３つの壁部と比較してその高さが低く形成されており、これによって、ＨＥＰＡフィルタ２４の交換が容易となる。
【００３０】
更に、収容部３２０は、その底面が、蝶番が固定された側の辺に対向する辺から所定距離だけ外面に延展する取付け部３２１を有し、この取付け部３２１には取付ネジを取り付けるための孔３２１ａが設けられる。この取付け部３２１によれば、収容部３２０が清浄空間に挿入されて取付け部３２１が清浄部３０の底面に接した状態で取付ネジによるネジ止めがなされ、収容部３２０が固定される。
【００３１】
（分煙装置の設置）
次に、屋外に設置された分煙装置について説明する。図８は、コンビニエンスストアの正面に設置された分煙装置を示す図である。図９は、店舗の正面に設置された分煙装置を示す図である。図１０は、店舗のバックヤードに設置された分煙装置を示す図である。図１１は、併設された分煙装置を示す図である。
【００３２】
図８に示すように、分煙装置１は、コンビニエンスストア７の屋外、具体的には、コンビニエンスストア７の正面出入口７１側において、この正面出入口７１による顧客の出入りを阻害しない位置に設置することができる。また、図９に示すように、コンビニエンスストア７以外の店舗８の屋外においても、同様に、正面出入口８１による顧客の出入りを阻害しない位置に分煙装置１を設置することができる。このように分煙装置１を設置することによって、屋外における顧客の喫煙に起因する受動喫煙を低減することができる。
【００３３】
また、図１０に示すように、店舗８の裏口８２側において、裏口８２による店員の出入りを阻害しない位置に分煙装置１を設置することによって、店舗８のバックヤードにおける店員の喫煙に起因する受動喫煙を低減することができる。
【００３４】
また、図１１に示すように、複数の分煙装置１を併設することができる。この際、一方の分煙装置１の側壁パネル１２と、他方の分煙装置１の側壁パネル１４とを密着させ、これらを連結することによって、屋外において分煙装置１をより強固に設置することができる。
【００３５】
＜第２の実施形態＞
次に、第２の実施形態に係る分煙装置の構成について、第１の実施形態と異なる点のみを説明する。図１２は、第２の実施形態に係る分煙装置の構成を示す概略斜視図である。図１３は、第２の実施形態における側壁部及び清浄部の構成を示す縦断面図である。図１４は、第２の実施形態における清浄部の構成を示す横断面図である。
【００３６】
図１２〜図１４に示すように、本実施形態に係る分煙装置１’は、清浄部３０’の構成のみが第１の実施形態とは異なっており、その他の構成については第１の実施形態と同様である。この清浄部３０’は、直方体箱状に構成された内部に清浄空間を画成する点において清浄部３０と同様であり、底面に排気口３０ａが設けられずに吸気口３０ｂのみが設けられ、更に、側面に排気口３０ｃが設けられる点において第１の実施形態における清浄部３０とは異なる。
【００３７】
図１３及び図１４に示すように、吸気口３０ｂには第１の実施形態と同様にフィルタ部３２が取り付けられ、また、図１２に示すように、排気口３０ｃにはダクト４０が取り付け可能となっている。清浄部３０’における清浄空間は、吸気口３０ｂによって喫煙空間と連通されるとともに、排気口３０ｃに取り付けられたダクト４０によって外部に連通される。ダクト４０は、分煙装置１’が設置される施設の屋上まで延びるように設置されると良く、また、ダクト４０にファンが設けられると良い。なお、排気口３０ｃは清浄部３０’の側面だけでなく、清浄部３０’の上面に設けても良く、底面以外の場所に設けられていれば良い。
【００３８】
本実施形態に係る分煙装置１’によれば、喫煙により汚染された空気をフィルタ部３２により洗浄した上でダクト４０を介して外部に排出することができ、更に、空気の排出場所を受動喫煙が生じにくい位置、例えば施設の屋上などにすることにより、施設近隣における受動喫煙を低減することができる。
【００３９】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００４０】
１  分煙装置
１０  側壁部
２０  支持部
２１ａ〜２１ｄ  支持脚
３０，３０’  清浄部
【図１】
2019052791.tif 000003
【図２】
2019052791.tif 000004
【図３】
2019052791.tif 000005
【図４】
2019052791.tif 000006
【図５】
2019052791.tif 000007
【図６】
2019052791.tif 000008
【図７】
2019052791.tif 000009
【図８】
2019052791.tif 000010
【図９】
2019052791.tif 000011
【図１０】
2019052791.tif 000012
【図１１】
2019052791.tif 000013
【図１２】
2019052791.tif 000014
【図１３】
2019052791.tif 000015
【図１４】
2019052791.tif 000016